(57)【要約】撮影手段を備えた携帯端末装置を用いて撮影したユーザの顔画像データに基づいて本人認証を行い、車両のドアロックの制御や、エンジンの制御を行うことができる車両制御システムを提唱する。【解決手段】撮影部６を備えた携帯端末装置１により、予め顔画像参照データを管理装置のデータベースに登録、格納しておき、車両２を使用する時に携帯端末装置１で顔を撮影し、その顔画像データを管理装置５に送信し、顔画像参照データと比較して本人認証を行う。本人である場合には、管理装置７からドアロック解錠指令及びエンジン始動指令を車両制御装置３に送信し、車両制御装置３は、ドアロックの解錠及びエンジンの始動を行う。車両を使用した後は、上記の本人認証処理を行った後、管理装置５からエンジン停止指令及びドアロック施錠指令を車両制御装置３に送信し、車両制御装置は、エンジンの停止及びドアロックの施錠を行う。【選択図】  図１
2004314906.tif 000002
【特許請求の範囲】
【請求項１】
ユーザによって使用される携帯端末装置と、ユーザ所有の車両内に設置される車両制御装置と、前記携帯端末装置及び車両制御装置にネットワークを介して接続される管理装置とを有する車両制御システムであって、
前記携帯端末装置は、ユーザの顔を撮影する撮影手段と、前記撮影手段によって撮影された顔画像データを、ユーザ所有の車両のドアロック解錠指令及びエンジン始動指令とともに前記管理装置に送信する手段とを有し、
前記管理装置は、前記携帯端末装置から送信された顔画像データ、ドアロック解錠指令及びエンジン始動指令を受信する手段と、ユーザの顔画像参照データを登録し格納するデータベースと、前記受信された顔画像データと前記データベースに格納されている顔画像参照データとを比較して本人認証を行う手段と、本人であると認証された場合、受信されたドアロック解錠指令及びエンジン始動指令を前記車両制御装置に送信する手段とを有し、
前記車両制御装置は、前記管理装置から送信されたドアロック解錠指令及びエンジン始動指令を受信する手段と、受信されたドアロック解錠指令に基づいてドアロックの解錠を行う手段と、受信されたエンジン始動指令に基づいてエンジンの始動を行う手段とを有する、
ことを特徴とする車両制御システム。
【請求項２】
前記車両制御装置は、前記車両のエンジンが始動した後、前記車両の状態に関する情報を前記管理装置に送信する手段を有することを特徴とする請求項１に記載の車両制御システム。
【請求項３】
ユーザによって使用される携帯端末装置と、ユーザ所有の車両内に設置される車両制御装置と、前記携帯端末装置及び車両制御装置にネットワークを介して接続される管理装置とを有する車両制御システムであって、
前記携帯端末装置は、ユーザの顔を撮影する撮影手段と、前記撮影手段によって撮影された顔画像データを、ユーザ所有の車両のエンジン停止指令及びドアロック施錠指令とともに前記管理装置に送信する手段とを有し、
前記管理装置は、前記携帯端末装置から送信された顔画像データ、エンジン停止指令及びドアロック施錠指令を受信する手段と、ユーザの顔画像参照データを登録し格納するデータベースと、前記受信された顔画像データと前記データベースに格納されている顔画像参照データとを比較して本人認証を行う手段と、本人であると認証された場合、受信されたエンジン停止指令及びドアロック施錠指令を前記車両制御装置に送信する手段とを有し、
前記車両制御装置は、前記管理装置から送信されたエンジン停止指令及びドアロック施錠指令を受信する手段と、受信されたエンジン停止指令に基づいてエンジンの停止を行う手段と、受信されたドアロック施錠指令に基づいてドアロックの施錠を行う手段とを有する、
ことを特徴とする車両制御システム。
【請求項４】
携帯端末装置は、電子メール機能を備えたカメラ付き携帯電話機であることを特徴とする請求項１乃至３のいずれか１つの項に記載の車両制御システム。
【請求項５】
前記車両制御装置は、カーナビゲーションシステムを用いていることを特徴とする請求項１乃至４のいずれか１つの項に記載の車両制御システム。
【請求項６】
ユーザによって使用され、ユーザの顔を撮影する撮影手段を備えた携帯端末装置と、ユーザ所有の車両内に設置される車両制御装置と、前記携帯端末装置及び車両制御装置にネットワークを介して接続され、ユーザの顔画像参照データを登録し格納するデータベースを備えた管理装置とにより、車両を制御する車両制御方法であって、
前記携帯端末装置により、ユーザの顔を撮影するステップと、
前記携帯端末装置により、撮影された顔画像データを、ユーザ所有の車両のドアロック解錠指令及びエンジン始動指令とともに前記管理装置に送信するステップと、
前記管理装置により、前記携帯端末装置から送信された顔画像データ、ドアロック解錠指令及びエンジン始動指令を受信するステップと、
前記管理装置により、前記受信された顔画像データと前記データベースに格納されている顔画像参照データとを比較して本人認証を行うステップと、
前記管理装置により、本人であると認証された場合、受信されたドアロック解錠指令及びエンジン始動指令を前記車両制御装置に送信するステップと、
前記車両制御装置により、前記管理装置から送信されたドアロック解錠指令及びエンジン始動指令を受信するステップと、
前記車両制御装置により、受信されたドアロック解錠指令に基づいてドアロックの解錠を行うステップと、
前記車両制御装置により、受信されたエンジン始動指令に基づいてエンジンの始動を行うステップと、
を有することを特徴とする車両制御方法。
【請求項７】
前記車両制御装置により、前記車両のエンジンが始動した後、前記車両の状態に関する情報を前記管理装置に送信するステップを有することを特徴とする請求項６に記載の車両制御方法。
【請求項８】
ユーザによって使用され、ユーザの顔を撮影する撮影手段を備えた携帯端末装置と、ユーザ所有の車両内に設置される車両制御装置と、前記携帯端末装置及び車両制御装置にネットワークを介して接続され、ユーザの顔画像参照データを登録し格納するデータベースを備えた管理装置とにより、車両を制御する車両制御方法であって、
前記携帯端末装置により、ユーザの顔を撮影するステップと、
前記携帯端末装置により、撮影された顔画像データを、ユーザ所有の車両のエンジン停止指令及びドアロック施錠指令とともに前記管理装置に送信するステップと、
前記管理装置により、前記携帯端末装置から送信された顔画像データ、エンジン停止指令及びドアロック施錠指令を受信するステップと、
前記管理装置により、前記受信された顔画像データと前記データベースに格納されている顔画像参照データとを比較して本人認証を行うステップと、
前記管理装置により、本人であると認証された場合、受信されたエンジン停止指令及びドアロック施錠指令を前記車両制御装置に送信するステップと、
前記車両制御装置により、前記管理装置から送信されたエンジン停止指令及びドアロック施錠指令を受信するステップと、
前記車両制御装置により、受信されたエンジン停止指令に基づいてエンジンの停止を行うステップと、
前記車両制御装置により、受信されたドアロック施錠指令に基づいてドアロックの施錠を行うステップと、
を有することを特徴とする車両制御方法。
【請求項９】
ユーザによって使用され、ユーザの顔を撮影する撮影手段を備えた携帯端末装置と、ユーザ所有の車両内に設置される車両制御装置とにネットワークを介して接続される管理装置であって、
前記携帯端末装置の撮影手段によって撮影され送信された顔画像データ、ドアロック解錠指令及びエンジン始動指令を受信する手段と、ユーザの顔画像参照データを登録し格納するデータベースと、前記受信された顔画像データと前記データベースに格納されている顔画像参照データとを比較して本人認証を行う手段と、本人であると認証された場合、受信されたドアロック解錠指令及びエンジン始動指令を前記車両制御装置に送信する手段とを有する、
ことを特徴とする管理装置。
【請求項１０】
ユーザによって使用され、ユーザの顔を撮影する撮影手段を備えた携帯端末装置と、ユーザ所有の車両内に設置される車両制御装置とにネットワークを介して接続される管理装置であって、
前記携帯端末装置の撮影手段によって撮影され送信された顔画像データ、エンジン停止指令及びドアロック施錠指令を受信する手段と、ユーザの顔画像参照データを登録し格納するデータベースと、前記受信された顔画像データと前記データベースに格納されている顔画像参照データとを比較して本人認証を行う手段と、本人であると認証された場合、受信されたエンジン停止指令及びドアロック施錠指令を前記車両制御装置に送信する手段とを有する、
ことを特徴とする管理装置。
【請求項１１】
ユーザによって使用され、ユーザの顔を撮影する撮影手段を備えた携帯端末装置と、ユーザ所有の車両内に設置される車両制御装置とにネットワークを介して接続され、ユーザの顔画像参照データを登録し格納するデータベースを備えた管理装置を制御するプログラムであって、
前記携帯端末装置の撮影手段によって撮影され送信された顔画像データ、ドアロック解錠指令及びエンジン始動指令を受信する処理と、
前記受信された顔画像データと前記データベースに格納されている顔画像参照データとを比較して本人認証を行う処理と、
本人であると認証された場合、受信されたドアロック解錠指令及びエンジン始動指令を前記車両制御装置に送信する処理と、
をコンピュータに実行させることを特徴とするプログラム。
【請求項１２】
ユーザによって使用され、ユーザの顔を撮影する撮影手段を備えた携帯端末装置と、ユーザ所有の車両内に設置される車両制御装置とにネットワークを介して接続され、ユーザの顔画像参照データを登録し格納するデータベースを備えた管理装置を制御するプログラムであって、
前記携帯端末装置の撮影手段によって撮影され送信された顔画像データ、エンジン停止指令及びドアロック施錠指令を受信する処理と、
前記受信された顔画像データと前記データベースに格納されている顔画像参照データとを比較して本人認証を行う処理と、
本人であると認証された場合、受信されたエンジン停止指令及びドアロック施錠指令を前記車両制御装置に送信する処理と、
をコンピュータに実行させることを特徴とするプログラム。
【発明の詳細な説明】
【０００１】
【発明の属する技術分野】
本発明は、車両制御システム、車両制御方法、管理装置及びプログラムに関し、特に、ユーザの顔を撮影する撮影手段を備えた携帯端末装置を利用した車両制御システム、車両制御方法、管理装置及びプログラムに関する。
【０００２】
【従来の技術】
一般に、車両のドアロックの施錠又は解錠やエンジンの始動又は停止については、キーをキーシリンダに差し込むことによって行っている。近年、利用者が携帯する送信機からコード信号を送信し、そのコード信号を車両に装備された受信機で受信し、予め登録されたコード信号と照合することによって、遠隔操作で車両のドアロックの施錠又は解錠などを可能にした、いわゆるキーレスエントリーシステムが開発されている。
【０００３】
しかしながら、このようなドアロックの施錠又は解錠やエンジンの始動又は停止は、キーや送信機を持っている者であれば誰でも行うことができるため、キーや送信機が何者かによって盗まれてしまうと、当該車両の保護が保証されないという課題があった。
【０００４】
また、キーや送信機を紛失すると、車両の利用ができなくなるという課題があった。
【０００５】
さらに、キーレスエントリーシステムを採用している場合、受信機で予め登録されているコード信号が何者かによって解読されてしまうと、たとえ送信機が盗まれなかったとしても、やはり当該車両の保護が保証されないといった問題があった。
【０００６】
そこで、運転免許証の画像データ、声紋データ、指紋データ、パスワード等で正規利用者の本人認証を行った後、ドアロックの施錠又は解錠やエンジンの始動又は停止を行う正規利用者確認システムの技術が提案されている。
【０００７】
この従来技術によれば、車両の正規の利用者だけが、車両ドアロックの施錠又は解錠や、エンジンの始動又は停止を行うことができるので、キーや送信機が不要になり、車両の盗難防止を図ることができる（特許文献１参照）。
【０００８】
【特許文献１】
特開２００３−２７７９５号公報
【発明が解決しようとする課題】
従来技術では、カメラ付き携帯電話機のような撮影手段を備えた携帯端末装置を用いて、ユーザの顔を写した顔画像データに基づいて本人認証を行い、車両のドアロックの制御や、エンジンの制御を行う点は開示されていない。
【０００９】
また、ユーザの本人認証のためのデータ管理装置を各車両ごとに設置しなければならないという課題がある。
【００１０】
本発明は、上記課題を解決するためになされたものであり、撮影手段を備えた携帯端末装置を用いて撮影したユーザの顔画像データに基づいて本人認証を行い、車両のドアロックの制御や、エンジンの制御を行うことができ、ネットワークを介して管理装置により集中管理する車両制御システム、車両制御方法、管理装置及びプログラムを提供することを目的とする。
【００１１】
【課題を解決するための手段】
本発明の第１の車両制御システムは、ユーザによって使用される携帯端末装置と、ユーザ所有の車両内に設置される車両制御装置と、前記携帯端末装置及び車両制御装置にネットワークを介して接続される管理装置とを有する車両制御システムであって、前記携帯端末装置は、ユーザの顔を撮影する撮影手段と、前記撮影手段によって撮影された顔画像データを、ユーザ所有の車両のドアロック解錠指令及びエンジン始動指令とともに前記管理装置に送信する手段とを有し、
前記管理装置は、前記携帯端末装置から送信された顔画像データ、ドアロック解錠指令及びエンジン始動指令を受信する手段と、ユーザの顔画像参照データを登録し格納するデータベースと、前記受信された顔画像データと前記データベースに格納されている顔画像参照データとを比較して本人認証を行う手段と、本人であると認証された場合、受信されたドアロック解錠指令及びエンジン始動指令を前記車両制御装置に送信する手段とを有し、
前記車両制御装置は、前記管理装置から送信されたドアロック解錠指令及びエンジン始動指令を受信する手段と、受信されたドアロック解錠指令に基づいてドアロックの解錠を行う手段と、受信されたエンジン始動指令に基づいてエンジンの始動を行う手段とを有することを特徴とするものである。
【００１２】
前記車両制御装置は、前記車両のエンジンが始動した後、前記車両の状態に関する情報を前記管理装置に送信する手段を有してもよい。
【００１３】
本発明の第２の車両制御システムは、ユーザによって使用される携帯端末装置と、ユーザ所有の車両内に設置される車両制御装置と、前記携帯端末装置及び車両制御装置にネットワークを介して接続される管理装置とを有する車両制御システムであって、
前記携帯端末装置は、ユーザの顔を撮影する撮影手段と、前記撮影手段によって撮影された顔画像データを、ユーザ所有の車両のエンジン停止指令及びドアロック施錠指令とともに前記管理装置に送信する手段とを有し、
前記管理装置は、前記携帯端末装置から送信された顔画像データ、エンジン停止指令及びドアロック施錠指令を受信する手段と、ユーザの顔画像参照データを登録し格納するデータベースと、前記受信された顔画像データと前記データベースに格納されている顔画像参照データとを比較して本人認証を行う手段と、本人であると認証された場合、受信されたエンジン停止指令及びドアロック施錠指令を前記車両制御装置に送信する手段とを有し、
前記車両制御装置は、前記管理装置から送信されたエンジン停止指令及びドアロック施錠指令を受信する手段と、受信されたエンジン停止指令に基づいてエンジンの停止を行う手段と、受信されたドアロック施錠指令に基づいてドアロックの施錠を行う手段とを有することを特徴とするものである。
【００１４】
携帯端末装置は、例えば電子メール機能を備えたカメラ付き携帯電話機である。
【００１５】
前記車両制御装置は、例えばカーナビゲーションシステムを用いている。
【００１６】
本発明の第１の車両制御方法は、ユーザによって使用され、ユーザの顔を撮影する撮影手段を備えた携帯端末装置と、ユーザ所有の車両内に設置される車両制御装置と、前記携帯端末装置及び車両制御装置にネットワークを介して接続され、ユーザの顔画像参照データを登録し格納するデータベースを備えた管理装置とにより、車両を制御する車両制御方法であって、
前記携帯端末装置により、ユーザの顔を撮影するステップと、
前記携帯端末装置により、撮影された顔画像データを、ユーザ所有の車両のドアロック解錠指令及びエンジン始動指令とともに前記管理装置に送信するステップと、
前記管理装置により、前記携帯端末装置から送信された顔画像データ、ドアロック解錠指令及びエンジン始動指令を受信するステップと、
前記管理装置により、前記受信された顔画像データと前記データベースに格納されている顔画像参照データとを比較して本人認証を行うステップと、
前記管理装置により、本人であると認証された場合、受信されたドアロック解錠指令及びエンジン始動指令を前記車両制御装置に送信するステップと、
前記車両制御装置により、前記管理装置から送信されたドアロック解錠指令及びエンジン始動指令を受信するステップと、
前記車両制御装置により、受信されたドアロック解錠指令に基づいてドアロックの解錠を行うステップと、
前記車両制御装置により、受信されたエンジン始動指令に基づいてエンジンの始動を行うステップと、
を有することを特徴とするものである。
【００１７】
前記車両制御装置により、前記車両のエンジンが始動した後、前記車両の状態に関する情報を前記管理装置に送信するステップを有してもよい。
【００１８】
本発明の第２の車両制御方法は、ユーザによって使用され、ユーザの顔を撮影する撮影手段を備えた携帯端末装置と、ユーザ所有の車両内に設置される車両制御装置と、前記携帯端末装置及び車両制御装置にネットワークを介して接続され、ユーザの顔画像参照データを登録し格納するデータベースを備えた管理装置とにより、車両を制御する車両制御方法であって、
前記携帯端末装置により、ユーザの顔を撮影するステップと、
前記携帯端末装置により、撮影された顔画像データを、ユーザ所有の車両のエンジン停止指令及びドアロック施錠指令とともに前記管理装置に送信するステップと、
前記管理装置により、前記携帯端末装置から送信された顔画像データ、エンジン停止指令及びドアロック施錠指令を受信するステップと、
前記管理装置により、前記受信された顔画像データと前記データベースに格納されている顔画像参照データとを比較して本人認証を行うステップと、
前記管理装置により、本人であると認証された場合、受信されたエンジン停止指令及びドアロック施錠指令を前記車両制御装置に送信するステップと、
前記車両制御装置により、前記管理装置から送信されたエンジン停止指令及びドアロック施錠指令を受信するステップと、
前記車両制御装置により、受信されたエンジン停止指令に基づいてエンジンの停止を行うステップと、
前記車両制御装置により、受信されたドアロック施錠指令に基づいてドアロックの施錠を行うステップと、
を有することを特徴とするものである。
【００１９】
本発明の第１の管理装置は、ユーザによって使用され、ユーザの顔を撮影する撮影手段を備えた携帯端末装置と、ユーザ所有の車両内に設置される車両制御装置とにネットワークを介して接続される管理装置であって、
前記携帯端末装置の撮影手段によって撮影され送信された顔画像データ、ドアロック解錠指令及びエンジン始動指令を受信する手段と、ユーザの顔画像参照データを登録し格納するデータベースと、前記受信された顔画像データと前記データベースに格納されている顔画像参照データとを比較して本人認証を行う手段と、本人であると認証された場合、受信されたドアロック解錠指令及びエンジン始動指令を前記車両制御装置に送信する手段とを有することを特徴とするものである。
【００２０】
本発明の第２の管理装置は、ユーザによって使用され、ユーザの顔を撮影する撮影手段を備えた携帯端末装置と、ユーザ所有の車両内に設置される車両制御装置とにネットワークを介して接続される管理装置であって、
前記携帯端末装置の撮影手段によって撮影され送信された顔画像データ、エンジン停止指令及びドアロック施錠指令を受信する手段と、ユーザの顔画像参照データを登録し格納するデータベースと、前記受信された顔画像データと前記データベースに格納されている顔画像参照データとを比較して本人認証を行う手段と、本人であると認証された場合、受信されたエンジン停止指令及びドアロック施錠指令を前記車両制御装置に送信する手段とを有することを特徴とするものである。
【００２１】
本発明の第１のプログラムは、ユーザによって使用され、ユーザの顔を撮影する撮影手段を備えた携帯端末装置と、ユーザ所有の車両内に設置される車両制御装置とにネットワークを介して接続され、ユーザの顔画像参照データを登録し格納するデータベースを備えた管理装置を制御するプログラムであって、
前記携帯端末装置の撮影手段によって撮影され送信された顔画像データ、ドアロック解錠指令及びエンジン始動指令を受信する処理と、
前記受信された顔画像データと前記データベースに格納されている顔画像参照データとを比較して本人認証を行う処理と、
本人であると認証された場合、受信されたドアロック解錠指令及びエンジン始動指令を前記車両制御装置に送信する処理と、
をコンピュータに実行させることを特徴とするものである。
【００２２】
本発明の第２のプログラムは、ユーザによって使用され、ユーザの顔を撮影する撮影手段を備えた携帯端末装置と、ユーザ所有の車両内に設置される車両制御装置とにネットワークを介して接続され、ユーザの顔画像参照データを登録し格納するデータベースを備えた管理装置を制御するプログラムであって、
前記携帯端末装置の撮影手段によって撮影され送信された顔画像データ、エンジン停止指令及びドアロック施錠指令を受信する処理と、
前記受信された顔画像データと前記データベースに格納されている顔画像参照データとを比較して本人認証を行う処理と、
本人であると認証された場合、受信されたエンジン停止指令及びドアロック施錠指令を前記車両制御装置に送信する処理と、
をコンピュータに実行させることを特徴とするものである。
【００２３】
本発明によれば、撮影手段を備えた携帯端末装置により、予め顔画像参照データを管理装置のデータベースに登録、格納しておく。車両を使用する時に携帯端末装置で顔を撮影し、その顔画像データを管理装置に送信し、データベースの顔画像参照データと比較して本人認証を行う。本人である場合には、管理装置からドアロック解錠指令及びエンジン始動指令を車両制御装置に送信し、これらを受信した車両制御装置は、ドアロックの解錠及びエンジンの始動を行う。車両を使用した後は、上記の本人認証処理を行った後、管理装置からエンジン停止指令及びドアロック施錠指令を車両制御装置に送信し、これらを受信した車両制御装置は、エンジンの停止及びドアロックの施錠を行う。
【００２４】
【発明の実施の形態】
以下、本発明の実施の形態について図面を参照して説明する。図１は本発明の第１の実施形態例に係る車両制御システムの構成を示すブロック図、図２（Ａ）は管理装置の構成を示すブロック図、（Ｂ）は車両制御装置の構成を示すブロック図である。
【００２５】
図１に示すように、本発明の第１の実施形態例に係る車両制御システムは、ユーザによって使用される携帯端末装置１と、ユーザ所有の車両２内に設置される車両制御装置３と、携帯端末装置１及び車両制御装置３にネットワーク４を介して接続される管理装置５とを有する。
【００２６】
携帯端末装置１は、例えば電子メール機能を備えたカメラ付き携帯電話機であり、ユーザの顔を撮影する撮影部６と、撮影部６によって撮影された顔画像データを、ユーザ所有の車両２のドアロック制御指令（ドアロック解錠指令とドアロック施錠指令）及びエンジン制御指令（エンジン始動指令及びエンジン停止指令）とともに管理装置５に送信する手段とを有する。
【００２７】
管理装置５は、例えばワークステーションサーバなどの情報処理装置であり、携帯端末装置１で撮影された顔画像を登録、処理する管理センタ７内に設置される。
【００２８】
管理装置５は、図２（Ａ）に示すように、携帯端末装置１から送信された顔画像データ、ドアロック制御指令及びエンジン制御指令を送受信する通信部８と、ユーザの顔画像参照データ、ユーザ情報（ユーザの氏名やメールアドレス等）、ユーザ所有の車両に関する車両情報（車種、ナンバープレートの番号等）を登録し格納するデータベース９と、受信された顔画像データとデータベース９に格納されている顔画像参照データとを比較して本人認証を行う本人認証部１０と、本人であると認証された場合、受信されたドアロック制御指令を通信部８によって車両制御装置３に送信させるドアロック制御指令部１１と、受信されたエンジン制御指令を通信部８によって車両制御装置３に送信させるエンジン制御指令部１２とを有する。
【００２９】
車両制御装置３は、例えばカーナビゲーションシステムを用いており、図２（Ｂ）に示すように、管理装置５から送信されたドアロック制御指令及びエンジン制御指令を受信する通信部１３と、受信されたドアロック制御指令に基づいてドアロック１６の制御（解錠及び施錠）を行うドアロック制御部１４と、受信されたエンジン制御指令に基づいてエンジン１７の制御（始動及び停止）を行うエンジン制御部１５とを有する。
【００３０】
車両制御装置３は、車両２のエンジンが始動した後、車両２の状態に関する情報（エンジンが始動している旨の情報等）を管理装置５に送信する。
【００３１】
ネットワーク４は、例えばインターネット（ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）によるデータ転送網）である。
【００３２】
携帯端末装置１及び車両制御装置３は、基地局１８、ネットワーク４を介して各種データの送受信を行う。
【００３３】
図３及び図４は本発明の第１の実施形態例に係る車両制御システムの動作を説明するためのシーケンス図である。
【００３４】
まず、携帯端末装置１を用いてユーザの顔を撮影し（ステップＡ１）、顔画像参照データとしてネットワーク４を介して管理装置５に送信する（ステップＡ２）。
【００３５】
管理装置５は、顔画像参照データを受信し（ステップＡ３）、ユーザ名やメールアドレス等のユーザ情報及びユーザ所有の車両の車種やナンバープレートの番号等の車両情報とともにデータベース９に登録し格納する（ステップＡ４）。
【００３６】
なお、車両２のナンバープレートの番号を車両情報としてデータベース９に登録することにより、一人のユーザが複数の車両２を所有している場合であっても検索などの管理が可能となる。
【００３７】
また、一つの車両２に対して複数のユーザが共同で所有する場合でもデータベース９に登録し管理することが可能である。
【００３８】
ユーザが車両２を運転する時には、携帯端末装置１でユーザの顔を撮影する（ステップＡ５）。
【００３９】
次いで、撮影した顔画像データをドアロック解錠指令及びエンジン始動指令とともにネットワーク４を介して管理装置５に送信する（ステップＡ６）。
【００４０】
管理装置５は、顔画像データ、ドアロック解錠指令及びエンジン始動指令を受信する（ステップＡ７）。
【００４１】
次いで、管理装置５の本人認証部１０は、ユーザ情報及び車両情報に基づいてデータベース９に格納されている顔画像参照データを検索し、受信した顔画像データと顔画像参照データとを比較し、本人認証を行う（ステップＡ８）。
【００４２】
本人認証部１０により本人でないと認定された場合には、指令拒否通知を送信し（ステップＡ９）、携帯端末装置１は、指令拒否通知を受信する（ステップＡ１０）。
【００４３】
本人認証部１０により本人であると認定された場合には、受信したドアロック解錠指令及びエンジン始動指令をネットワーク４を介して車両制御装置３に送信する（ステップＡ１１）。
【００４４】
車両制御装置３は、管理装置５からのドアロック解錠指令及びエンジン始動指令を受信する（ステップＡ１２）。
【００４５】
次いで、車両制御装置３のドアロック制御部１４は、受信されたドアロック解錠指令に基づいてドアロック１６の解錠を行う（ステップＡ１３）。
【００４６】
次いで、車両制御装置３のエンジン制御部１５は、受信されたエンジン始動指令に基づいてエンジン１７の始動を行う（ステップＡ１４）。
【００４７】
車両制御装置３は、車両２のエンジンが始動した後、車両２の状態（ドアロック解錠、エンジン始動等）に関する情報を管理装置５に送信する（ステップＡ１５）。
【００４８】
管理装置５は、車両制御装置３からの車両状態情報を受信し（ステップＡ１６）、データベース９に格納する。
【００４９】
ユーザが車両２を停止させ降車した後は、まず、携帯端末装置１でユーザの顔を撮影する（ステップＢ１）。
【００５０】
次いで、撮影した顔画像データをエンジン停止指令及びドアロック施錠指令とともにネットワーク４を介して管理装置５に送信する（ステップＢ２）。
【００５１】
管理装置５は、顔画像データ、エンジン停止指令及びドアロック施錠指令を受信する（ステップＢ３）。
【００５２】
次いで、管理装置５の本人認証部１０は、ユーザ情報及び車両情報に基づいてデータベース９に格納されている顔画像参照データを検索し、受信した顔画像データと顔画像参照データとを比較し、本人認証を行う（ステップＢ４）。
【００５３】
本人認証部１０により本人でないと認定された場合には、指令拒否通知を送信し（ステップＢ５）、携帯端末装置１は、指令拒否通知を受信する（ステップＢ６）。
【００５４】
本人認証部１０により本人であると認定された場合には、受信したエンジン停止指令及びドアロック施錠指令をネットワーク４を介して車両制御装置３に送信する（ステップＢ７）。
【００５５】
車両制御装置３は、管理装置５からのエンジン停止指令及びドアロック施錠指令を受信する（ステップＢ８）。
【００５６】
次いで、車両制御装置３のエンジン制御部１５は、受信されたエンジン停止指令に基づいてエンジン１７の停止を行う（ステップＢ９）。
【００５７】
最後に、車両制御装置３のドアロック制御部１４は、受信されたドアロック施錠指令に基づいてドアロック１６の施錠を行う（ステップＢ１０）。
【００５８】
本発明の車両制御システムによれば、撮影部６を備えた携帯端末装置１を用いて撮影したユーザの顔画像データに基づいて本人認証を行うことにより、車両２の正規の利用者だけが、車両２のドアロック１６の施錠又は解錠及びエンジン１７の始動又は停止を行うことができるので、キーや送信機が不要になり、車両２の盗難防止を図ることができる。
【００５９】
また、ネットワーク４を介して携帯端末装置１及び車両制御装置３に接続された管理装置５により集中管理するので、ユーザの本人認証のためのデータ管理装置を各車両２ごとに設置する必要がない。
【００６０】
図５は本発明の第２の実施形態例を説明するためのブロック図である。図５に示すように、本発明の第２の実施の形態は、管理装置５を制御し、上記説明された管理装置５の行う処理をコンピュータに実行させるプログラム１９に関する。このプログラム１９は、ＦＤ等の磁気ディスク、ＣＤ−ＲＯＭ等の光ディスク、半導体メモリ等のような記録媒体に記録されていてもよく、また、通信ネットワークを介してダウンロードされるものでもよい。
本発明は、上記実施の形態に限定されることはなく、特許請求の範囲に記載された技術的事項の範囲内において、種々の変更が可能である。
【００６１】
【発明の効果】
本発明によれば、撮影部を備えた携帯端末装置を用いて撮影したユーザの顔画像データに基づいて本人認証を行うことにより、車両の正規の利用者だけが、車両のドアロックの施錠又は解錠及びエンジンの始動又は停止を行うことができるので、キーや送信機が不要になり、車両の盗難防止を図ることができる。
【００６２】
また、ネットワークを介して携帯端末装置及び車両制御装置に接続された管理装置により集中管理するので、ユーザの本人認証のためのデータ管理装置を各車両ごとに設置する必要がない。
【図面の簡単な説明】
【図１】本発明の第１の実施形態例に係る車両制御システムの構成を示すブロック図である。
【図２】（Ａ）は管理装置の構成を示すブロック図、（Ｂ）は車両制御装置の構成を示すブロック図である。
【図３】本発明の第１の実施形態例に係る車両制御システムの動作を説明するためのシーケンス図である。
【図４】本発明の第１の実施形態例に係る車両制御システムの動作を説明するためのシーケンス図である。
【図５】本発明の第２の実施形態例を説明するためのブロック図である。
【符号の説明】
１：携帯端末装置
２：車両
３：車両制御装置
４：ネットワーク
５：管理装置
６：撮影部
７：管理センタ
８：通信部
９：データベース
１０：本人認証部
１１：ドアロック制御指令部
１２：エンジン制御指令部
１３：通信部
１４：ドアロック制御部
１５：エンジン制御部
１６：ドアロック
１７：エンジン
１８：基地局
１９：プログラム
【図１】
2004314906.tif 000003
【図２】
2004314906.tif 000004
【図３】
2004314906.tif 000005
【図４】
2004314906.tif 000006
【図５】
2004314906.tif 000007